(57)【要約】【課題】  クライアント端末装置ＭＴが、容易且つ迅速にドキュメント処理装置ＭＦＤに繰り返しアドホックモード接続してドキュメント処理させることができる環境を実現する。【解決手段】  クライアント端末装置ＭＴとドキュメント処理装置ＭＦＤとがアドホック無線接続して、ドキュメント処理ジョブをドキュメント処理装置ＭＦＤが実行するシステムにおいて、クライアント端末装置ＭＴは、先にドキュメント処理装置とアドホック接続した際に使用した無線接続に必要な設定情報及び当該ドキュメント処理装置の処理情報設定テーブル２に保持し、通信制御手段３が当該ドキュメント処理装置への次回の接続処理を保持した設定値を用いて行う。また、ドキュメント処理装置ＭＦＤは、処理情報等の履歴１２を管理し、クライアント端末装置ＭＴに最新情報を通知する。【選択図】  図２
2006173947.tif 000002
【特許請求の範囲】
【請求項１】
それぞれ無線通信機能を有するクライアント端末装置とドキュメント処理装置とがアドホック接続して、当該クライアント端末装置からのドキュメント処理ジョブを当該ドキュメント処理装置が実行するドキュメント処理システムであって、
クライアント端末装置は、先にドキュメント処理装置とアドホック接続した際に使用した無線接続に必要な設定値を保持する設定情報保持手段と、当該設定情報保持手段に保持された設定値を用いてドキュメント処理装置とアドホック接続する通信制御手段と、を備えたことを特徴とするドキュメント処理システム。
【請求項２】
それぞれ無線通信機能を有するクライアント端末装置とドキュメント処理装置とがアドホック接続して、当該クライアント端末装置からのドキュメント処理ジョブを当該ドキュメント処理装置が実行するドキュメント処理システムであって、
クライアント端末装置は、先にドキュメント処理装置とアドホック接続してドキュメント処理ジョブを実行した際の当該ドキュメント処理装置の処理情報を保持する情報保持手段と、アドホック接続したドキュメント処理装置から提供される差分情報に基づいて当該情報保持手段が保持する処理情報を更新する更新手段と、を備え、
ドキュメント処理装置は、クライアント端末装置毎にアドホック接続によりドキュメント処理実行した処理情報を保持する履歴情報保持手段と、アドホック接続したクライアント端末装置からのドキュメント処理ジョブを実行する処理情報と前記履歴情報保持手段に保持された処理情報との差分情報を当該クライアント端末装置に送信する差分通知手段と、を備えたことを特徴とするドキュメント処理システム。
【請求項３】
それぞれ無線通信機能を有するクライアント端末装置とドキュメント処理装置とがアドホック接続して、当該クライアント端末装置からのドキュメント処理ジョブを当該ドキュメント処理装置が実行するドキュメント処理システムであって、
クライアント端末装置は、先にドキュメント処理装置とアドホック接続した際に使用した無線接続に必要な設定情報及び当該アドホック接続してドキュメント処理ジョブを実行した際の当該ドキュメント処理装置の処理情報を保持する設定情報保持手段と、当該設定情報保持手段に保持された設定値を用いてドキュメント処理装置とアドホック接続する通信制御手段と、アドホック接続したドキュメント処理装置から提供される差分情報に基づいて当該設定情報保持手段が保持する情報を更新する更新手段と、を備え、
ドキュメント処理装置は、クライアント端末装置毎にアドホック接続によりドキュメント処理実行した設定情報及び処理情報を保持する履歴情報保持手段と、アドホック接続したクライアント端末装置からのドキュメント処理ジョブ実行に係る情報と前記履歴情報保持手段に保持された情報との差分情報を当該クライアント端末装置に送信する差分通知手段と、を備えたことを特徴とするドキュメント処理システム。
【請求項４】
請求項２又は請求項３に記載のドキュメント処理システムにおいて、
前記ドキュメント処理装置の履歴情報保持手段は、クライアント端末装置とアドホック接続した日時情報を保持情報に付加して保持し、アドホック接続がなされる毎に当該日時情報を更新することを特徴とするドキュメント処理システム。
【請求項５】
請求項２乃至請求項４のいずれか１項に記載のドキュメント処理システムにおいて、
前記ドキュメント処理装置の履歴情報保持手段は、クライアント端末装置とアドホック接続通信した際の通信品質情報を保持情報に付加して保持し、
当該ドキュメント処理装置は、アドホック接続したクライアント端末装置に対して通信品質が当該履歴情報保持手段に保持された通信品質情報より劣化している時にはアラームを送信するアラーム通知手段を備えたことを特徴とするドキュメント処理システム。
【請求項６】
無線通信機能を有するドキュメント処理装置とアドホック接続して、当該ドキュメント処理装置にドキュメント処理ジョブを実行させるクライアント端末装置であって、
アドホック接続する無線通信手段と、先にドキュメント処理装置とアドホック接続した際に使用した無線接続に必要な設定値を保持する設定情報保持手段と、当該設定情報保持手段に保持された設定値を用いてドキュメント処理装置とアドホック接続する通信制御手段と、を備えたことを特徴とするクライアント端末装置。
【請求項７】
無線通信機能を有するクライアント端末装置とアドホック接続して、当該ドキュメント処理装置にドキュメント処理ジョブを実行させるクライアント端末装置であって、
アドホック接続する無線通信手段と、先にドキュメント処理装置とアドホック接続してドキュメント処理ジョブを実行した際の当該ドキュメント処理装置の処理情報を保持する情報保持手段と、アドホック接続したドキュメント処理装置から提供される履歴情報に基づいて当該情報保持手段が保持する処理情報を更新する更新手段と、を備えたことを特徴とするクライアント端末装置。
【請求項８】
無線通信機能を有するドキュメント処理装置とアドホック接続して、当該ドキュメント処理装置にドキュメント処理ジョブを実行させるクライアント端末装置をコンピュータにより構成するプログラムであって、
アドホック接続する無線通信手段と、先にドキュメント処理装置とアドホック接続した際に使用した無線接続に必要な設定値を保持する設定情報保持手段と、当該設定情報保持手段に保持された設定値を用いてドキュメント処理装置とアドホック接続する通信制御手段と、をコンピュータに構成することを特徴とするプログラム。
【請求項９】
無線通信機能を有するクライアント端末装置とアドホック接続して、当該ドキュメント処理装置にドキュメント処理ジョブを実行させるクライアント端末装置をコンピュータにより構成するプログラムであって、
アドホック接続する無線通信手段と、先にドキュメント処理装置とアドホック接続してドキュメント処理ジョブを実行した際の当該ドキュメント処理装置の処理情報を保持する情報保持手段と、アドホック接続したドキュメント処理装置から提供される履歴情報に基づいて当該情報保持手段が保持する処理情報を更新する更新手段と、をコンピュータに構成することを特徴とするプログラム。
【請求項１０】
無線通信機能を有するクライアント端末装置とアドホック接続して、当該クライアント端末装置からのドキュメント処理ジョブを実行するドキュメント処理装置であって、
アドホック接続する無線通信手段と、クライアント端末装置毎にアドホック接続によりドキュメント処理実行した処理情報を保持する履歴情報保持手段と、アドホック接続したクライアント端末装置からのドキュメント処理ジョブを実行する処理情報と前記履歴情報保持手段に保持された処理情報との差分情報を当該クライアント端末装置に送信する差分通知手段と、を備えたことを特徴とするドキュメント処理装置。
【請求項１１】
無線通信機能を有するクライアント端末装置とアドホック接続して、当該クライアント端末装置からのドキュメント処理ジョブを実行するドキュメント処理装置であって、
アドホック接続する無線通信手段と、クライアント端末装置毎にアドホック接続によりドキュメント処理実行した処理情報及び無線接続に必要な設定情報を保持する履歴情報保持手段と、アドホック接続したクライアント端末装置からのドキュメント処理ジョブ実行に係る情報と前記履歴情報保持手段に保持された情報との差分情報を当該クライアント端末装置に送信する差分通知手段と、を備えたことを特徴とするドキュメント処理装置。
【請求項１２】
無線通信機能を有するクライアント端末装置とアドホック接続して、当該クライアント端末装置からのドキュメント処理ジョブを実行するドキュメント処理装置をコンピュータにより構成するプログラムであって、
アドホック接続する無線通信手段と、クライアント端末装置毎にアドホック接続によりドキュメント処理実行した処理情報を保持する履歴情報保持手段と、アドホック接続したクライアント端末装置からのドキュメント処理ジョブを実行する処理情報と前記履歴情報保持手段に保持された処理情報との差分情報を当該クライアント端末装置に送信する差分通知手段と、をコンピュータに構成することを特徴とするプログラム。
【請求項１３】
無線通信機能を有するクライアント端末装置とアドホック接続して、当該クライアント端末装置からのドキュメント処理ジョブを実行するドキュメント処理装置をコンピュータにより構成するプログラムであって、
アドホック接続する無線通信手段と、クライアント端末装置毎にアドホック接続によりドキュメント処理実行した処理情報及び無線接続に必要な設定情報を保持する履歴情報保持手段と、アドホック接続したクライアント端末装置からのドキュメント処理ジョブ実行に係る情報と前記履歴情報保持手段に保持された情報との差分情報を当該クライアント端末装置に送信する差分通知手段と、をコンピュータに構成することを特徴とするプログラム。
【請求項１４】
それぞれ無線通信機能を有するクライアント端末装置とドキュメント処理装置とがアドホック接続して、当該クライアント端末装置からのドキュメント処理ジョブを当該ドキュメント処理装置が実行するドキュメント処理方法であって、
クライアント端末装置が、先にドキュメント処理装置とアドホック接続した際に使用した無線接続に必要な設定値を保持し、当該保持された設定値を用いてドキュメント処理装置とアドホック接続することを特徴とするドキュメント処理システム。
【請求項１５】
それぞれ無線通信機能を有するクライアント端末装置とドキュメント処理装置とがアドホック接続して、当該クライアント端末装置からのドキュメント処理ジョブを当該ドキュメント処理装置が実行するドキュメント処理方法であって、
クライアント端末装置が、先にドキュメント処理装置とアドホック接続してドキュメント処理ジョブを実行した際の当該ドキュメント処理装置の処理情報を保持し、アドホック接続したドキュメント処理装置から提供される差分情報に基づいて当該保持する処理情報を更新し、
ドキュメント処理装置が、クライアント端末装置毎にアドホック接続によりドキュメント処理実行した処理情報を保持し、アドホック接続したクライアント端末装置からのドキュメント処理ジョブを実行する処理情報と当該保持した処理情報との差分情報を当該クライアント端末装置に送信することを特徴とするドキュメント処理方法。
【発明の詳細な説明】
【技術分野】
【０００１】
本発明は、モバイル機器等のクライアント端末装置と、プリンタ装置等のドキュメント処理装置とが無線ＬＡＮアドホック接続して、クライアント端末装置からのドキュメント処理ジョブをドキュメント処理装置が実行するドキュメント処理技術に関し、特に、アドホック通信の接続を容易化し、また、ドキュメント処理装置による処理履歴を管理することができる技術に関する。
【背景技術】
【０００２】
近年、有線ＬＡＮを用いたネットワーク通信に対して、無線通信の高速化や規格化による相互接続性の改善により、無線通信によるネットワーク環境が拡大しつつある。例えば、無線ＬＡＮのIEEE802.11系、Bluetoothなどの近距離無線通信を用いたデータの送受信が実用化されている。
プリンタ装置、スキャナ装置、これらドキュメント処理機能を複合的に備えた複合機等といったドキュメント処理装置も無線通信機能を搭載することで、オフィスに限らず、店舗、公共スペース等において、モバイルＰＣ、ＰＤＡ、携帯電話機等といったクライアント端末装置とワイヤレスで接続し、クライアント装置からのドキュメント処理ジョブを実行することが可能となっている。特に、外出先でのプリントニーズではワイヤレスによる利便性は大きく、今後、無線を用いたプリント出力の利用が拡大されることが予測されている。
【０００３】
このような無線プリントに用いることができる通信手段として、例えば、IEEE802.11系無線通信では、クライアント端末装置がアクセスポイント（ＡＰ）と呼ばれる無線基地局を経由して、ドキュメント処理装置にネットワーク接続されるインフラストラクチャモードと、アクセスポイントを経由することなく、クライアント端末装置がドキュメント処理装置に直接接続するアドホックモードとがサポートされている。
なお、通常は、アクセスポイントを経由してＬＡＮに接続することを前提としているため、プリンタ等のドキュメント処理装置もインフラストラクチャモードで接続されるようにＬＡＮ上に置かれている。
【０００４】
このため、外出先のオフィス等でクライアント端末装置からドキュメント処理装置を利用してドキュメント印刷をする場合には、先ずクライアント端末装置をアクセスポイントに接続し、そのネットワーク上にあるドキュメント処理装置にプリント処理ジョブを出力することが必要となる。
【０００５】
しかしながら、クライアント端末装置をアクセスポイントに接続するためには、アクセスポイントの検索、当該アクセスポイントのサービスセットＩＤ（ＥＳＳＩＤ）やＭＡＣアドレス情報の取得、ＬＡＮ接続のためのＩＰアドレスの取得が必要となる。更には、セキュリティ対策から、無線接続時の認証や暗号化処理を行う場合もあり、認証を行う場合には、特定のユーザーしか接続が許可されないため、事前にクライアント端末装置の情報を登録する必要があり、また、暗号化処理された場合では、暗号鍵情報が必要となる。したがって、外部環境においては、これらアクセスポイントに接続するための設定情報を予め設定しておく必要があり、極めて煩雑な処理や操作が必要とされる。
【０００６】
また、クライアント端末装置をアクセスポイントに接続しても、ジョブ内容に適したドキュメント処理装置を検索する必要があり、例えば、ユーザの目の前のプリンタ装置にプリント出力したい場合でも、当該プリンタで処理するためにはプリンタのＩＰアドレスやホスト名等の情報が必要となって容易ではない。
このような接続操作の煩わしさを解消する方法として、クライアント端末装置とドキュメント処理装置をと一対一で直接無線接続するアドホックモード接続を利用する方法が考えられる。すなわち、クライアント端末装置と目的のドキュメント処理装置とを直接接続することで、クライアント端末装置はネットワークに接続する必要なくして、接続先となるドキュメント処理装置との間で予め規定した手順を踏むことで無線通信に係わる設定を取り交わし、ドキュメント処理ジョブをドキュメント処理装置へ送信して実行させることができる。
【０００７】
なお、相手端末がネットワーク接続又はアドホック接続の端末であるかをキャッシュテーブルに保持することにより、ユーザが相手端末がいずれの通信が可能であるかを意識する必要なしに無線端末間を通信接続を可能にする発明が提案されている（特許文献１参照。）。
また、ＩＰアドレスやデータリンク層アドレス等とともに通信媒体ＩＤをリンクテーブルに保持し、データを送信する際には通信相手のリンクテーブルに基づいて、パケットを送信するようにして、ＩＰアドレス等に加えて通信相手の通信媒体情報も用いて効率的なアドホックＬＡＮ通信を行う発明が提案されている（特許文献２参照。）。
また、無線通信装置がインフラストラクチャモード通信を行って周辺のサービスセットＩＤを取得し、このＩＤが取得できない時には、使用する通信チャネルをデフォルト値に設定してアドホックモード通信に切替えるようにして、自動的にモード切替えを行う発明が提案されている（特許文献３参照。）。
また、印刷装置に２つの無線ネットワークへの接続切替え機能を設け、第１の設定情報に基づいてユーザ無線ＬＡＮに接続し、第２の設定情報に基づいてメーカ無線ＬＡＮに接続し、新たにユーザ無線ＬＡＮに接続しようとするプリンタに対してユーザＬＡＮに係る設定情報を送付することで、当該プリンタに対してユーザが設定操作する手間を低減する発明が提案されている（特許文献４参照。）。
【特許文献１】特開平０７―３０３１０５号公報。
【特許文献２】特開平１１―０４１２７１号公報。
【特許文献３】特開２００２―３３０１４２号公報。
【特許文献４】特開２００３―１６３６６８号公報。
【発明の開示】
【発明が解決しようとする課題】
【０００８】
上記のようにアドホックモード接続では、ネットワーク接続のための煩雑な操作や処理を必要としないが、クライアント端末装置は目的のドキュメント処理装置に直接接続するために必要な情報を設定する必要がある。
そして、クライアント端末装置が目的のドキュメント処理装置にアドホックモード接続しようとする度にこの接続情報の設定をしなければならず、操作や処理が煩雑であるという課題があった。
【０００９】
また、クライアント端末装置のユーザは、目的のドキュメント処理装置がどのような処理機能を有しているかを認識した上でジョブ処理を実行させたい要求があるが、これを判断するための情報が必要となる。
このために、ドキュメント処理装置で実行した処理の内容（例えば、プリント出力する用紙サイズ等といった処理属性や、処理サービス）を管理して、ユーザが確認できるようにするのが効果的であるが、このような処理情報を効率的に更新管理しなければならないという課題があった。
【００１０】
本発明は、上記従来の事情に鑑みなされたのもであり、ドキュメント処理装置によるドキュメント処理をクライアント端末装置により利用し易い環境を実現することを目的としている。
すなわち、本発明は、クライアント端末装置がドキュメント処理装置に繰り返してアドホックモード接続する場合に容易且つ迅速に接続設定を実行して、ドキュメント処理装置によるドキュメント処理をクライアント端末装置により利用し易い環境を実現することを目的としている。
また、本発明は、ドキュメント処理装置で実行した処理の内容を効率的に更新管理して、ドキュメント処理装置によるドキュメント処理をクライアント端末装置により利用し易い環境を実現することを目的としている。
【課題を解決するための手段】
【００１１】
本発明は、それぞれ無線通信機能を有するクライアント端末装置とドキュメント処理装置とが無線ＬＡＮでアドホック接続して当該クライアント端末装置からのドキュメント処理ジョブを当該ドキュメント処理装置が実行するドキュメント処理システム、このようなシステムを構成するクライアント端末装置、このようなシステムを構成するドキュメント処理装置、このようなクライアント端末装置をコンピュータにより構成するプログラム、このようなドキュメント処理装置をコンピュータにより構成するプログラム、このようなドキュメント処理システムにより実施される方法である。
【００１２】
本発明では、クライアント端末装置が、先にドキュメント処理装置とアドホック接続した際に使用した無線接続に必要な設定情報及び当該アドホック接続してドキュメント処理ジョブを実行した際の当該ドキュメント処理装置の処理情報を設定情報保持手段に保持し、当該保持された設定値を用いて通信制御手段によりドキュメント処理装置とアドホック接続し、また、アドホック接続したドキュメント処理装置から提供される差分情報に基づいて更新手段により設定情報保持手段が保持する情報を更新する。一方、ドキュメント処理装置が、クライアント端末装置毎にアドホック接続によりドキュメント処理実行した設定情報及び処理情報を履歴情報保持手段で保持し、アドホック接続したクライアント端末装置からのドキュメント処理ジョブ実行に係る情報と履歴情報保持手段に保持された情報との差分情報を差分通知手段により当該クライアント端末装置に送信する。
【００１３】
したがって、クライアント端末装置は、設定情報保持手段に保持した設定情報を利用して同じドキュメント処理装置とのアドホック接続処理を容易且つ迅速に行うことができ、しかも、設定情報保持手段に保持した処理情報を利用して先にドキュメント処理装置により行ったドキュメント処理に係る情報を認知させることができ、所要のドキュメント処理装置を確認した上でアドホック接続処理を行うことができる。
【００１４】
ここで、本発明では、設定情報に係る機能部と処理情報に係る機能部とのいずれか一方を備えた構成とすることもできる。
すなわち、設定情報に係る機能部を備えた構成では、クライアント端末装置が、先にドキュメント処理装置とアドホック接続した際に使用した無線接続に必要な設定値を設定情報保持手段に保持し、当該保持された設定値を用いて通信制御手段によりドキュメント処理装置とアドホック接続する。
したがって、クライアント端末装置は、設定情報保持手段に保持した設定情報を利用して同じドキュメント処理装置とのアドホック接続処理を容易且つ迅速に行うことができる。
【００１５】
また、処理情報に係る機能部を備えた構成では、クライアント端末装置が、先にドキュメント処理装置とアドホック接続してドキュメント処理ジョブを実行した際の当該ドキュメント処理装置の処理情報を情報保持手段に保持し、アドホック接続したドキュメント処理装置から提供される差分情報に基づいて当該情報保持手段が保持する処理情報を更新手段により更新する。一方、ドキュメント処理装置が、クライアント端末装置毎にアドホック接続によりドキュメント処理実行した処理情報を履歴情報保持手段に保持し、アドホック接続したクライアント端末装置からのドキュメント処理ジョブを実行する処理情報と前記履歴情報保持手段に保持された処理情報との差分情報を差分通知手段により当該クライアント端末装置に送信する。
したがって、クライアント端末装置は、設定情報保持手段に保持した処理情報を利用して先にドキュメント処理装置により行ったドキュメント処理に係る情報を認知させることができ、所要のドキュメント処理装置を確認した上でアドホック接続処理を行うことができる。
【００１６】
ここで、アドホック接続に必要な設定情報としては、通信チャネル、サービスセットＩＤ（ＳＳＩＤ）、暗号化情報（ＷＥＰ）、ＭＡＣアドレス、ＩＰアドＰレス等があるが、システム設定の必要に応じて取捨選択される。
また、ドキュメント処理装置の処理情報としては、例えば印刷処理の用紙サイズ、１枚の用紙に複数ページを印刷したか否かのｎＵｐ情報、両面印刷をしたか否かの情報等といったドキュメント処理装置の機能に係る属性情報や、例えばプルプリントやダイレクトプリントといった処理サービスをサポートしているか否かといったドキュメント処理装置がクライアント端末装置に提供する処理サービスに係る情報等、ドキュメント処理装置がジョブを実行した時の処理内容に係る情報が用いられる。
【００１７】
また、履歴情報保持手段はクライアント端末装置毎の設定情報や処理情報を保持するが、クライアント端末装置毎の情報を例えばクライアント端末に付されたＩＤやＭＡＣアドレス等により識別すればよい。
なお、履歴情報保持手段は、クライアント端末装置とアドホック接続した日時情報を保持情報に付加して保持し、アドホック接続がなされる毎に当該日時情報を更新するようにしてもよく、これによって、最新の情報を管理することができる。
また、履歴情報保持手段は、クライアント端末装置とアドホック接続通信した際の通信品質情報（例えば、受信電波強度値）を保持情報に付加して保持し、ドキュメント処理装置のアラーム通知手段が、アドホック接続したクライアント端末装置に対して通信品質が当該履歴情報保持手段に保持された通信品質情報より劣化している時にはアラームを送信するようにしてもよく、これによって、ユーザにクライアント端末装置の位置変更等を促すことができる。
【発明の効果】
【００１８】
本発明によると、クライアント端末装置に先の接続に係る設定情報や先のドキュメント処理に係る処理情報を保持させるようにしたため、容易且つ迅速にクライアント端末装置がドキュメント処理装置に繰り返してアドホックモード接続してドキュメント処理させることができる環境が実現される。
【発明を実施するための最良の形態】
【００１９】
本発明を一実施形態に基づいて具体的に説明する。
本例では、図１に示すように、クライアント端末装置としてモバイルコンピュータＭＴを用い、ドキュメント処理装置としてプリンタ機能やスキャナ機能等を複合的に備えた複合機ＭＦＤを用いており、これらクライアント端末装置ＭＴと複合機ＭＦＤがそれぞれ有する無線通信機能により無線ＬＡＮのアドホックモード接続して、一対一の直接接続によりクライアント端末装置ＭＴが複合機ＭＦＤからプリント処理等のサービスを受けることができる。なお、本例は、IEEE802.11ｂによる無線ＬＡＮシステムを用いている。
ここで、ドキュメント処理装置として、プリンタ装置、スキャナ装置、ファクシミリ装置、電子メール通信装置等といったドキュメント処理を行う種々な無線通信機能を有する装置を用いることもでき、また、クライアント端末装置として、ＰＤＡ、携帯電話機等といった種々な無線通信機能を有する装置を用いることもできる。
【００２０】
図２には、本例のクライアント端末装置ＭＴと複合機ＭＦＤとがそれぞれ有する機能を示している。
クライアント端末装置ＭＴは、アドホック接続する無線通信手段１、ドキュメント処理装置ＭＦＤとアドホック接続した際に使用した無線接続に必要な設定情報及び当該アドホック接続してドキュメント処理ジョブを実行した際の当該ドキュメント処理装置ＭＦＤの処理情報を保持する設定テーブル（設定情報保持手段）２、設定テーブル２に保持された設定情報を用いてドキュメント処理装置ＭＦＤと無線通信手段１によりアドホック接続する通信制御手段３、アドホック接続したドキュメント処理装置ＭＦＤから提供される履歴情報に基づいて設定テーブル２が保持する情報を更新する更新手段４、ユーザからの入力を受け付けまたユーザに対して情報を画面表示するユーザインタフェース（ＵＩ）５を有している。
【００２１】
本例の設定テーブル２は、図３に示すように、無線接続に必要な設定情報として目的の複合機ＭＦＤにアドホック接続した際の「通信接続設定値」情報を保持し、また、当該ドキュメント処理装置ＭＦＤの処理情報として「印刷属性」情報及び「印刷サービス」情報を保持している。
そして、「通信接続設定値」としては、アドホック接続か否かを示す「モード」、アドホック接続の通信チャネルを示す「ＣＨ」、目的のドキュメント処理装置ＭＦＤが属するサービスセットの識別子「ＳＳＩＤ」、暗号化情報「ＷＥＰ」が含まれている。
また、「印刷属性」としては、ドキュメント印刷した「用紙サイズ」、１枚の用紙に２ページを印刷することが可能か否かを示す「２Ｕｐ印刷」、両面印刷が可能か否かを示す「両面」が含まれており、また、「印刷サービス」としては、プルプリントやダイレクトプリントのサービスがサポートされているか否かを示す情報が含まれている。
【００２２】
複合機ＭＦＤは、プリント処理等のドキュメントデータ処理を行うデータ処理手段１０、アドホック接続する無線通信手段１１、クライアント端末装置毎にアドホック接続によりドキュメント処理を実行した処理情報及び無線接続に必要な設定情報を保持する履歴管理テーブル（履歴情報保持手段）１２、アドホック接続に係る通信制御処理を行う通信制御手段１３を有している。
【００２３】
更に、通信制御手段は、アドホック接続のためのＩＰアドレス割り当てを行うＤＨＣＰ手段１４、アドホック接続したクライアント端末装置ＭＴからのドキュメント処理ジョブを実行する処理情報と履歴管理テーブル１２に保持された処理情報との差分情報を当該クライアント端末装置ＭＴに無線通信手段１１から送信する差分通知手段１５、アドホック接続したクライアント端末装置ＭＴに対して通信品質が履歴管理テーブル１２に保持された通信品質情報より劣化している時にはアラームを無線通信手段１１から送信するアラーム通知手段１６を有している。
【００２４】
本例の履歴管理テーブル１２は、図４に示すように、クライアント端末装置毎のＭＡＣアドレスにより識別したレコードを保持しており、各レコードには最新のアドホック接続された「日時」、当該接続における設定情報や処理情報を含む「設定Ｌｏｇ」、当該接続時の通信品質を表す「受信強度」が保持されている。なお、本例では、「日時情報」は対応するクライアント端末装置ＭＴとアドホック接続がなされる度に更新される。
【００２５】
「設定Ｌｏｇ」は、上記設定テーブル２に略対応する情報を含んでおり、本例では図５に示すように、処理情報として先のドキュメント処理における「印刷属性」及び「印刷サービス」、設定情報として先のアドホック接続における「通信設定値」を含んでいる。
「印刷属性」には「用紙サイズ」、「２Ｕｐ印刷」、「両面」が含まれ、「印刷サービス」にはプルプリントやダイレクトプリントのサービスサポート情報が含まれ、「通信設定値」には「ＣＨ」や「ＷＥＰ」等が含まれている。
なお、図５に示すようなアドホック接続毎のログ情報は履歴管理テーブル１２の「設定Ｌｏｇ」に対応付けて蓄積記録され、後述するようにログ情報間の差分情報の抽出に用いられる。
【００２６】
ここで、クライアント端末装置ＭＴの各機能手段１〜５や、ドキュメント処理装置ＭＦＤの各機能手段１１〜１６は、それぞれ専用の装置要素として構成するようにしてもよいが、本例では、クライアント端末装置ＭＴのコンピュータハードウエアで本発明に係るプログラムを実行させ、また、ドキュメント処理装置ＭＦＤのコンピュータハードウエアで本発明に係るプログラムを実行させることにより構成している。
【００２７】
図６と図７には、本例におけるクライアント端末装置ＭＴとドキュメント処理装置（複合機）ＭＦＤとのアドホック接続手順を示してあり、図６には最初の接続手順（イニシャル時）を示し、図７には次回以降の接続手順（リピート時）を示してある。
【００２８】
まず、図６に示すイニシャル時では、クライアント端末装置ＭＴは複合機ＭＦＤが定期的に発信するビーコン信号をスキャンして、当該ビーコン信号に含まれる通信チャネル、サービスセットＩＤ、ＷＥＰ等の設定情報を取得する。
そして、ユーザからの指示入力に応じて、クライアント端末装置ＭＴがアドホック接続要求を複合機ＭＦＤへ送信すると、複合機ＭＦＤが当該アドホック接続要求に含まれる端末ＭＴのＭＡＣアドレスにより履歴管理テーブル１２を照合する。なお、イニシャル時では履歴管理テーブル１２に当該ＭＡＣアドレスに該当するレコードはないので、複合機ＭＦＤは、当該ＭＡＣアドレスによるレコードを履歴管理テーブル１２に追加し、当該アドホック接続要求信号の受信日時及び受信強度をレコードに記録する。
【００２９】
次いで、クライアント端末装置ＭＴが送信要求（ＲＴＳ）を複合機ＭＦＤへ送信すると、受信可能な状態であれば、複合機ＭＦＤが送信許可（ＣＴＳ）を返信し、次いで、クライアント端末装置ＭＴが複合機ＭＦＤのＩＰアドレス要求（ＡＲＰ）を当該複合機ＭＦＤへ送信すると、複合機ＭＦＤが自己のＩＰアドレスを返信する。
そして、クライアント端末装置ＭＴが自己のＩＰアドレス要求（ＤＨＣＰ）を複合機ＭＦＤへ送信すると、複合機ＭＦＤがＤＨＣＰ手段１４によりアドホック接続に用いるクライアント端末装置ＭＴのＩＰアドレスを割り当てて、当該ＩＰアドレスを返信する。
【００３０】
このように、クライアント端末装置ＭＴと複合機ＭＦＤとがアドホック接続に用いる双方のＩＰアドレスを交換した後、当該ＩＰアドレスを用いてクライアント端末装置ＭＴと複合機ＭＦＤとが一対一のアドホック接続する。
双方で通信接続が完了すると、クライアント端末装置ＭＴが複合機ＭＦＤに処理情報（属性、サービス情報）を要求し、複合機ＭＦＤがこれに応じて履歴管理テーブル１２に保持している該当情報を返信する。なお、イニシャル時では履歴管理テーブル１２に当該情報がないので当該情報は送信されないが、上記新規レコードの追加において、複合機ＭＦＤが実行できる属性やサービスのデフォルト情報を管理テーブル１２に記述し、当該デフォルト情報をクライアント端末装置ＭＴへ返信するようにしてもよい。
【００３１】
クライアント端末装置ＭＴは、複合機ＭＦＤから送信された情報とともに、当該複合機ＭＦＤとのアドホック接続に用いた無線接続設定情報（上記取得した通信チャネルやＷＥＰ等）を設定テーブル２に記録し、次いで、複合機ＭＦＤにドキュメント処理ジョブを送信する。複合機ＭＦＤでは、受信したドキュメント処理ジョブを実行し、ドキュメントプリント出力等の処理が終了したところでクライアント端末装置ＭＴへ終了通知を送信する。
【００３２】
次に、図７に示すリピート時では、クライアント端末装置ＭＴは、設定テーブル２に保持した前回接続時の設定情報を用いて、アドホック接続要求を複合機ＭＦＤへ送信する。すなわち、イニシャル時に比べて、ビーコン信号から通信チャネル情報等を取得して無線通信手段１に設定する処理や操作が省かれる。
複合機ＭＦＤでは、アドホック接続要求に含まれる端末ＭＴのＭＡＣアドレスにより履歴管理テーブル１２を照合し、履歴管理テーブル１２の該当すＭＡＣアドレスのレコードに当該アドホック接続要求信号の受信日時及び受信強度を更新記録する。
【００３３】
そして、イニシャル時と同様に、送信要求（ＲＴＳ）、送信許可（ＣＴＳ）、ＩＰアドレスの交換を行って、クライアント端末装置ＭＴと複合機ＭＦＤとが一対一のアドホック接続する。
このように双方で通信接続が完了すると、クライアント端末装置ＭＴが複合機ＭＦＤに処理情報（属性、サービス情報）を要求し、複合機ＭＦＤがこれに応じて履歴管理テーブル１２に保持している該当情報を返信する。
【００３４】
本例では、複合機ＭＦＤでは、履歴管理テーブル１２の「設定Ｌｏｇ」に記録されている履歴情報に基づいて、図８に示すように、差分通知手段１３が、今回の接続における処理情報を前回の接続における処理情報との差分を抽出し、当該差分情報をクライアント端末装置ＭＴへ提供する。すなわち、図５に示す例では、前回の設定Ｌｏｇでは用紙サイズがＡ４/Ａ３/Ｂ５であったが、今回の処理に係る設定Ｌｏｇでは用紙サイズがＡ４/Ａ３となるので、当該用紙サイズに係る情報だけをクライアント端末装置ＭＴへ提供する。
【００３５】
クライアント端末装置ＭＴは、複合機ＭＦＤから送信された情報に基づいて、更新手段４が設定テーブル２を更新する。したがって、設定テーブル２には最新の情報が更新記録され、設定テーブル２の記録情報をユーザインタフェース５に表示する等してユーザに提示することで、ユーザがドキュメント処理装置ＭＦＤに処理ジョブを依頼する場合に、どのような処理を行ったことのあるドキュメント処理装置かといった情報を認識することができる。
そして、クライアント端末装置ＭＴから複合機ＭＦＤにドキュメント処理ジョブを送信し、複合機ＭＦＤは、受信したドキュメント処理ジョブを実行して、当該処理が終了したところでクライアント端末装置ＭＴへ終了通知を送信する。
【００３６】
ここで、本例では、クライアント端末装置ＭＴからの接続要求を受信した時に、複合機ＭＦＤは当該要求信号の受信強度を履歴管理テーブル１２に記録している。
そこで、リピート時にクライアント端末装置ＭＴからの接続要求を受信した場合に、アラーム通知手段１６が、当該要求信号の受信強度と履歴管理テーブル１２に記録している前回の受信強度とを比較して、受信強度が前回より低下している場合には、クライアント端末装置ＭＴに提供する情報に通信品質を上げるようにクライアント端末装置ＭＴの位置や角度の変更を促すアラーム情報を含め、クライアント端末装置ＭＴのユーザインタフェース５から出力させるようにしてもよい。なお、このような比較に基づくアラーム通知の他、受信要求が予め設定されている基準値以下の場合に、クライアント端末装置ＭＴへアラーム通知をするようにしてもよい。
【図面の簡単な説明】
【００３７】
【図１】本発明の一例に係るドキュメント処理システムを示す図である。
【図２】本発明の一例に係るクライアント端末装置とドキュメント処理装置の機能構成図である。
【図３】本発明の一例に係る設定テーブルを説明する図である。
【図４】本発明の一例に係る履歴管理テーブルを説明する図である。
【図５】本発明の一例に係る履歴管理テーブルの設定Ｌｏｇを説明する図である。
【図６】本発明の一例に係るイニシャル時の処理手順を説明する図である。
【図７】本発明の一例に係るリピート時の処理手順を説明する図である。
【図８】本発明の一例に係る差分情報を説明する図である。
【符号の説明】
【００３８】
１：無線通信手段、  ２：設定テーブル（設定情報保持手段）、
３：通信制御手段、  ４：更新手段、
１１：無線通信手段、  １２：履歴管理テーブル（履歴情報保持手段）、
１３：通信制御手段、  １４：ＤＨＣＰ手段、
１５：差分通知手段、  １６：アラーム通知手段、
ＭＴ：クライアント端末装置、  ＭＦＤ：複合機（ドキュメント処理装置）。
【図１】
2006173947.tif 000003
【図２】
2006173947.tif 000004
【図３】
2006173947.tif 000005
【図４】
2006173947.tif 000006
【図５】
2006173947.tif 000007
【図６】
2006173947.tif 000008
【図７】
2006173947.tif 000009
【図８】
2006173947.tif 000010